(57)【要約】【課題】  １つの手形の手袋でワックス掛けと拭き取り両方を片方の利き手で行えるようにし、かつ、ワックス掛けと拭き取りとで生地を着脱して交換する必要もない手袋型ワックス掛け用具を提供する。【解決手段】  表向きにも裏向きにも嵌められる形状とした５本指の手形の手袋１を備え、当該手袋１の一方の面に当該手袋１の手形と同じ手形のワックス掛け用のスポンジ２を備えると共に、当該手袋１の他方の面に当該手袋１の手形と同じ手形のワックス拭き取り用のクロス３を備え、スポンジ２及びクロス３の５本指が、指ごとに独立して動けるようにした。【選択図】  図１
2014221966.tif 000002
【特許請求の範囲】
【請求項１】
表向きにも裏向きにも嵌められる形状とした５本指の手形の手袋を備え、当該手袋の一方の面に当該手袋の手形と同じ手形のワックス掛け用のスポンジを備えると共に、当該手袋の他方の面に当該手袋の手形と同じ手形のワックス拭き取り用のクロスを備え、前記スポンジ及びクロスの５本指が指ごとに独立して動けるようにした手袋型ワックス掛け用具。
【請求項２】
前記クロスは、前記手袋の側面を覆うように設けた、請求項１に記載の手袋型ワックス掛け用具。
【発明の詳細な説明】
【技術分野】
【０００１】
本発明は、手に嵌めてワックス掛けを行うための手袋型ワックス掛け用具に関する。
【背景技術】
【０００２】
この種の従来例として、実開平９−１７２号公報（特許文献１）がある。この公報には、手袋に手形のスポンジを貼り付けたものが開示されている。これによると、手袋を手に嵌めたまま、手形のスポンジでワックス掛けを行うことができる。
【０００３】
しかし、この従来例では、ワックスの拭き取りを行うためには、手袋を手から外し、別途ワックス拭き取り用のクロスを用いる必要がある。また、同公報には、手袋の表裏両方にスポンジを装備することも開示されている。しかし、１つの手袋の表と裏に装備された両方のスポンジを使用するためには、手袋を嵌める手を左から右へ又は右から左へと変えなければならない。よって、１つの手袋の表裏両方のスポンジを利き手で使うことはできない。
【先行技術文献】
【特許文献】
【０００４】
【特許文献１】実開平９−１７２号公報
【発明の概要】
【発明が解決しようとする課題】
【０００５】
本発明は、１つの手形の手袋でワックス掛けとワックスの拭き取りの両方を片方の利き手で行えるようにし、かつ、ワックス掛け用と拭き取り用とで生地を着脱して交換する必要もない手袋型ワックス掛け用具を提供することを課題とする。
【課題を解決するための手段】
【０００６】
本発明は、表向きにも裏向きにも嵌められる形状とした５本指の手形の手袋を備え、当該手袋の一方の面に当該手袋の手形と同じ手形のワックス掛け用のスポンジを備えると共に、当該手袋の他方の面に当該手袋の手形と同じ手形のワックス拭き取り用のクロスを備える。スポンジ及びクロスの５本指は指ごとに独立して動けるようにする。
【０００７】
そして、ワックス掛けの際は、スポンジが掌側にくるように手袋を利き手に嵌め、５本指を自由に使って、スポンジによるワックス掛けを行う。次に、クロスが掌側にくるように手袋を同じ利き手に嵌め、５本指を自由に使って、クロスによるワックスの拭き取りと、斑になったワックスの均しを行う。
【発明の効果】
【０００８】
本発明によれば、１つの手形の手袋でワックス掛けとワックスの拭き取りとの両方を片方の利き手で行うことができ、かつ、ワックス掛けと拭き取りとで生地を着脱して交換する必要もない。
【図面の簡単な説明】
【０００９】
【図１】図１は、本発明の実施形態である手袋型ワックス掛け用具の構成図。
【図２】図２は、図１に示すＡ−Ａ断面の一部省略した断面図。
【発明を実施するための形態】
【００１０】
以下、本発明の実施形態を図面を参照しつつ説明する。図１は、本発明の実施形態である手袋型ワックス掛け用具の構成図である。正面図と左側面図により構成を示しているが、図中の斜線はクロス３の生地を示しており、断面を示すものではない。右側面図は、左側面図と左右対称に現れる。また、図２は、図１に示すＡ−Ａ断面の一部省略した断面図である。手袋１の奥に見えるべき指を入れる穴は図示を省略している。この図２に記入した斜線は、スポンジ２およびクロス３の断面を示している。
【００１１】
手袋型ワックス掛け用具１０は、表向きにも裏向きにも嵌められる形状とした５本指の手形の手袋１を備えている。また、当該手袋１の一方の面には、当該手袋１と同じ手形のワックス掛け用のスポンジ２を備えている。更に、当該手袋１の他方の面には、当該手袋１と同じ手形のワックス拭き取り用のクロス３を備えている。スポンジ２及びクロス３の５本指は、手袋１の５本指と共に、指ごとに独立して動けるようになっている。
【００１２】
本実施形態において、手袋１、スポンジ２及びクロス３の手形は、中指を中心として左右対称に形成されている。これにより、利き手に嵌める際、表向きにも裏向きにも嵌めることができるようになっている。ただし、左右対称に限らず、表向きにも裏向きにも嵌めることが可能な形状であればよい。
【００１３】
本実施形態の試作品では、手袋１の素材として軍手の素材を用いた。しかし、手袋１の素材はこれに限らない。
【００１４】
また、本実施形態の試作品では、スポンジ２として、市販のワックス掛け用のスポンジと同じ素材を用い、スポンジの厚みは１０ｍｍから１５ｍｍ程度に設定した。しかし、スポンジの厚みはこれに限らず、ワックス掛けのしやすさと、指の動かしやすさを考慮して設定するとよい。
【００１５】
また、本実施形態の試作品では、クロス３として、マイクロファイバーを素材とするクロスを用いた。しかし、クロス３の素材はこれに限らず、ワックスの拭き取りに適した素材であればよい。
【００１６】
本実施形態の試作品は、手袋１を構成する軍手の素材に、スポンジ２の手形部材と、クロス３の手形部材とを、適切な接着剤で接着することにより構成した。
【００１７】
そして、ワックス掛けの際は、スポンジ２が掌側にくるように手袋１を利き手に嵌め、５本指を自由に使って、スポンジ２によるワックス掛けを行う。次に、クロス３が掌側にくるように手袋を同じ利き手に嵌め、５本指を自由に使って、クロス３によるワックスの拭き取りと、斑になったワックスの均しを行う。なお、利き手が右手でも左手でも同じように使用することができる。
【００１８】
ここで、クロス３の生地は、図１に斜線で示すように、手袋１の側面まで覆うように設けられている。手袋１の親指側の側面も小指側の側面も同様に、クロス３の生地に覆われている。
【００１９】
このようにすると、手の側面を使ってワックスを均すことができ、例えば、拳を握った状態で、手の側面でワックスを均すと、比較的小さな労力で、ワックスを均すことができる。
【００２０】
クロス３が手袋１の側面を覆う面積と形状は、上記の機能を多少でも達するものであればよい。本実施形態では、指先から手首付近までの側面のほぼ全体を覆っているが、これに限らない。
【００２１】
以上説明した本実施形態によれば、１つの手形の手袋で、ワックス掛けとワックスの拭き取りとを片方の利き手で、５本指を自由に使って行うことができ、かつ、ワックス掛けと拭き取りとで生地を着脱して交換する必要もない。
【００２２】
また、クロス３が手袋１の側面まで覆うようにしたので、手の側面を使って効果的にワックスの均しを行うことができる。
【符号の説明】
【００２３】
１  手袋
２  スポンジ
３  クロス
１０  手袋型ワックス掛け用具
【図１】
2014221966.tif 000003
【図２】
2014221966.tif 000004